(57)【要約】【課題】  導光体を両面粘着テープによってフレームに固定する際に、両面粘着テープが導光体の側面に付着してしまう虞がなく、輝度むらの少ない光の放射を可能とする面光源装置を提供する。【解決手段】  一主面を光の出射面６ａとし、この出射面６ａと略直交する面を入射面とする導光体６と、この導光体６の入射面に発光面が対向するよう配置された光源と、この光源と導光体６を保持するフレーム３を備えると共に、フレーム３の固定部１２に貼付した両面粘着テープ１３に導光体６の他主面を固着してなるもので、フレーム３の固定部１２が、導光体６の他主面に不平行な両面粘着テープ１３の変位吸収面１５ｂを備えている。【選択図】  図２
2006244843.tif 000002
【特許請求の範囲】
【請求項１】
一主面を光の出射面とし、この出射面と略直交する面を入射面とする導光体と、この導光体の入射面に発光面が対向するよう配置された光源と、この光源と前記導光体を保持するフレームを備えると共に、前記フレームの固定部に貼付した両面粘着テープに前記導光体の他主面を固着してなる面光源装置であって、前記フレームの固定部が、前記両面粘着テープを接着する接着面と、この接着面と前記導光体の他主面間との間隙寸法を異ならせる変位吸収面とからなる接着面部を備えていることを特徴とする面光源装置。
【請求項２】
前記接着面部が、前記導光体の外方向に向かって、前記間隙寸法が漸次広がる傾斜面もしくは曲面であることを特徴とする請求項１記載の面光源装置。
【請求項３】
前記接着面部が、傾斜角度の異なる複数の傾斜面で構成されていることを特徴とする請求項１または２記載の面光源装置。
【請求項４】
前記接着面部が、前記他主面に平行な接着面及びこの接着面と段差を設けて形成した変位吸収面から構成され、前記間隙寸法が、前記導光体の外方向に向かうものほど大となるよう配置されていることを特徴とする請求項１記載の面光源装置。
【請求項５】
前記接着面部が、前記他主面に平行な接着面及び前記傾斜面もしくは曲面からなる変位吸収面によって構成されていることを特徴とする請求項１または２記載の面光源装置。
【発明の詳細な説明】
【技術分野】
【０００１】
本発明は、例えば液晶表示装置に好適する面光源装置に関する。
【背景技術】
【０００２】
周知の通り、光源に冷陰極管や発光ダイオード（ＬＥＤ）を用い、この光源と導光体とを組合わせて構成した面光源装置は、ＯＡ機器や情報端末機器、パーソナルコンピュータ、テレビ受像機などの液晶表示装置における照明装置として用いられている。そして、このような用途の面光源装置には、例えば、以下にその一部を断面として示す図６を用いて説明するような構成を有するものがある。
【０００３】
すなわち、図６において、１００は面光源装置であり、１０１は面光源装置１００を構成する枠状のフレームで、フレーム１０１には、上面（液晶パネル側）を光の出射面１０２ａとし、この上面に直交する図示しない側面を光の入射面とする導光体１０２が、両面粘着テープ１０３で固着することにより保持されている。またフレーム１０１には、導光体１０２と共に図示しない光源が、その発光面を導光体１０２の入射面に対向するように保持されている。さらに導光体１０２の上面上には、拡散シート１０４やプリズムシート１０５等の複数の光学シートが配置されており、また下面（液晶パネルとは反対側）側には反射シート１０６が設けられている。
【０００４】
また、フレーム１０１への導光体１０２の固定については、先ず、フレーム１０１の内縁側に設けられた断面形状が略Ｌ字形状の固定部１０７の棚状部１０７ａ上に、細い帯状の両面粘着テープ１０３をフレーム１０１の内縁に沿って貼付しておく。そして、フレーム１０１の固定部１０７の壁部１０７ｂを位置決めに使うようにして、固定部１０７に貼付した両面粘着テープ１０３上に導光体１０２の入射面とは逆の対向側面１０２ｂ側の下面辺縁部分を斜め方向より押し付け、固定し、その後、導光体１０２の入射面側部分をフレーム１０１方向に押圧しながら取着し、導光体１０２をフレーム１０１の固定部１０７上に固定する。
【０００５】
そして、この導光体１０２の下面に集光用プリズムを形成することにより、用いる光学シート類の使用枚数を削減し、また導光体１０２に乱反射による輝度むらを起こす固定用の突起を設けない構造にするために、両面粘着テープ１０３により導光体１０２をフレーム１０１に固定する構成とすることにより、近年の液晶表示装置の薄型軽量化に対応させている。
【０００６】
しかしながら上記の従来技術においては、フレーム１０１に導光体１０２を固定した際に、両面粘着テープ１０３がその押圧力によって移動して所定位置より変位したり、両面粘着テープ１０３自体が押しつぶされて変位したりする場合が生ずる。そのようなケースの場合には、それにより両面粘着テープ１０３の一部が、フレーム１０１の固定部１０７の壁部１０７ｂと導光体１０２の対向側面１０２ｂの間にはみ出し、さらに、はみ出した両面粘着テープ１０３が、導光体１０２の対向側面１０２ｂに付着して固定されてしまう場合がある。こうした場合、対向側面１０２ｂに付着した両面粘着テープ１０３の粘着材に光源から導光体１０２に導入された光が当たって乱反射し、乱反射した光が導光体１０２の出射面１０２ａから出射される結果、均一な光の放射とならず、液晶表示装置においては、その表示画面に乱反射光が入り込み、輝度むらとなって表示品位の低下を引き起こす虞があった。
【発明の開示】
【発明が解決しようとする課題】
【０００７】
上記のような状況に鑑みて本発明はなされたもので、その目的とするところは、導光体を両面粘着テープによってフレームに固定する際に、両面粘着テープが導光体の側面に付着してしまうことがなく、両面粘着テープの粘着材による乱反射光が発生せず、均一な光が導光体の出射面から放射させることができ、液晶表示装置においては、乱反射光による輝度むらがなく、表示品位の低下を引き起こす虞のない面光源装置を提供することにある。
【課題を解決するための手段】
【０００８】
本発明の面光源装置は、
一主面を光の出射面とし、この出射面と略直交する面を入射面とする導光体と、この導光体の入射面に発光面が対向するよう配置された光源と、この光源と導光体を保持するフレームを備えると共に、フレームの固定部に貼付した両面粘着テープに導光体の他主面を固着してなる面光源装置であって、フレームの固定部が、両面粘着テープを接着する接着面とこの接着面と導光体の他主面間との間隙寸法を異ならせた変位吸収面を備えていることを特徴とするものであり、
また、一主面を光の出射面とし、この出射面と略直交する面を入射面とする導光体と、この導光体の入射面に発光面が対向するよう配置された光源と、この光源と導光体を保持するフレームを備えると共に、フレームの固定部に貼付した両面粘着テープに導光体の他主面を固着してなる面光源装置であって、フレームの固定部が、導光体の他主面に平行であると共に該他主面との間に形成される間隙寸法が異なる少なくとも２つの両面粘着テープの接着面及び変位吸収面とを備えていることを特徴とするものである。
【発明の効果】
【０００９】
以上の説明から明らかなように、本発明によれば、導光体を両面粘着テープによりフレームに固定する際、両面粘着テープが導光体の側面へはみ出して付着するといったことが防止でき、それにより、両面粘着テープの粘着材による乱反射光の発生がなくなって、導光体の出射面からは均一な光を放射させることができ、さらに、液晶表示装置においては、乱反射光による輝度むらがなくなり、表示品位の低下を防止できる等の効果を奏する。
【発明を実施するための最良の形態】
【００１０】
以下本発明の実施の形態を、図面を参照して説明する。
【実施例１】
【００１１】
先ず第１の実施形態を、図１乃至図４を参照して説明する。図１は面光源装置全体の構成を示す分解斜視図であり、図２は要部の断面図であり、図３は要部の一部切欠斜視図であり、図４は液晶表示装置の概略構成を示す断面図である。
【００１２】
図１乃至図４において、液晶表示装置２などに用いられる面光源装置１は、合成樹脂等を用いて成形された略方形状の枠状のフレーム３に、冷陰極管４を用いた光源５と、例えばポリカーボネイト樹脂やアクリル樹脂等の透光性樹脂で形成された所定厚さの略方形平板状の導光体６を支持して構成されている。導光体６は、その一つの主面である上面（液晶パネル側）が光の出射面６ａで、この上面に直交する側面が光の入射面６ｂとなっており、さらに、出射面６ａの裏面となる他主面の下面（液晶パネルとは反対側）には、図示しないが集光用プリズムが多数形成されている。また導光体６の出射面６ａ上には拡散シート７及びプリズムシート８等からなら複数枚の光学シートが配置されており、さらに、導光体６の下面側には反射シート９が配置されている。
【００１３】
また、光源５の冷陰極管４は、導光体６の光の入射面６ｂに対向する位置に、その両端に装着されたゴムホルダ１０により支持されるようにして、フレーム３に取り付けられており、冷陰極管４からの放射光が直接導光体６に入射するようになっている。さらに、フレーム３には、光源５を構成する断面形状が略半円状の反射面を有するリフレクタ１１が、冷陰極管４からの放射光を反射し、反射光が導光体６の入射面６ｂに向かよう、冷陰極管４に対し導光体６の入射面６ｂ側とは逆側となる位置に、近接して取り付けられている。
【００１４】
また、フレーム３には、少なくとも導光体６の入射面６ｂに対向する対向側面６ｃ側の枠部材３ａの内縁側部分に、断面形状が略Ｌ字形状である固定部１２が設けられている。この固定部１２は、両面粘着テープ１３を介在させて導光体６をその対向側面６ｃ側部分で支持すると共に、反射シート９を支持するもので、内方に向かう棚状部１２ａと、棚状部１２ａに直交する壁部１２ｂとで構成されている。
【００１５】
さらに、棚状部１２ａは、その先端上部に反射シート９を支持する段部１４が形成されており、また段部１４から壁部１２ｂ側にかけての上部には、両面粘着テープ１３を接着する接着面部１５が設けられている。この接着面部１５は、支持する導光体６の他の主面である下面に平行な平行接着面１５ａと、この平行接着面１５ａと連接して壁部１２ｂ側に向けての単一傾斜角を持った下り傾斜面とした変位吸収面１５ｂとから形成されていて、この接着面部１５は、対向する導光体６の下面との間の間隙寸法が固定部１２の壁部１２ｂ方向に対して拡大するように、その間隙寸法を異ならせるように形成されている。例えば変位吸収面１５ｂの傾斜は、傾斜上部と傾斜下部の高さの差が、両面粘着テープ１３の厚さ程度となるような傾斜となっている。すなわち、例えば両面粘着テープ１３の厚さが０．１ｍｍ〜０．１５ｍｍ程度である場合には、高さの差は０．１ｍｍ〜０．２ｍｍ程度となる。
【００１６】
そして、フレーム３への導光体６の固定については、先ず、フレーム３の枠部材３ａの内縁側に設けられた固定部１２の棚状部１２ａの平行接着面１５ａの上に、両面に感圧粘着剤が付着している細い帯状の両面粘着テープ１３を、壁部１２ｂの面と平行となるように沿わせて枠部材３ａの長手方向に貼付しておく。その後、フレーム３の固定部１２の壁部１２ｂを、例えば導光体６の対向側面６ｃを突き当てるなど位置決めに使いながら、棚状部１２ａの平行接着面１５ａに貼付した両面粘着テープ１３上に導光体６の対向側面６ｃ側の下面辺縁部分を斜め方向より押し付けて固定する。さらに、導光体６の入射面６ｂ側部分をフレーム３方向に押圧しながら取着し、導光体６をフレーム３の固定部１２に固定する。
【００１７】
また、上記のようにして構成された面光源装置１には、図４に示すように、導光体６上に設けた光学シート７、プリズムシート８の上に液晶表示素子（液晶パネル）１７が配置される。そして、外カバー１８が、液晶表示素子１７の上を覆うと共に、液晶表示素子１７と面光源装置１を固定するように外カバー１８とフレーム３とを嵌合固定することによって、液晶表示装置２が構成される。
【００１８】
このようにして構成された面光源装置１と液晶表示装置２においては、面光源装置１の構成を上記した通りのものとして導光体６をフレーム３に固定するので、導光体６の対向側面６ｃ側を接着する際に、両面粘着テープ１３が導光体６によって押圧される。この導光体６の取着時に両面粘着テープ１３が確実にフレーム３の所定位置に接着されており、且つ導光体６の挿入角度が所定の角度の範囲内で固定しないと正規の状態で固定できなくなる。これらの関係がくずれると、両面粘着テープ１３が導光体の挿入方向に位置ずれして変位したり、両面粘着テープ１３自体が延び広がって変形変位してしまい、両面粘着テープ１３は導光体６の対向側面６ｃ側の辺縁からはみ出ようとする。しかし、このように延び広がったりして変位した両面粘着テープ１３は、導光体６の外方向である辺縁方向に向けての下り傾斜面となっている変位吸収面１５ｂに沿う形で変位していくので、この変位吸収面１５ｂと導光体６の下面で形成されるくさび状間隙に、溜め込まれるように吸収されてしまうことになる。従って両面粘着テープ１３が平行接着面１５ａからはみ出して導光体６の対向側面６ｃに付着するということがなくなる。更に平行接着面１５ａを設けることによって両面粘着テープ１３の位置決めが容易となるばかりでなく、導光体６の接着強度を均一化し得るので、より確実な固定が行える。その結果、両面粘着テープ１３の対向側面６ｃに付着した粘着材によって生ていた乱反射光の発生が抑止されるために、導光体６の出射面６ａからは、斑の少ない、均一な光が出射される。
【００１９】
また、液晶表示装置２では、面光源装置１から出射される光が、斑の少ない、均一な光であることから、表示画面に乱反射光が入り込み、輝度むらとなって表示品位の低下を引き起こす虞がなくなり、良好な品位の表示を行うことができる。
【００２０】
なお、上記の実施形態においては、フレーム３の固定部１２に設けた両面粘着テープ１３の接着面１５を、平行接着面１５ａと変位吸収面１５ｂとで構成したが、全体を傾斜面として、その主要面部分を接着面として使用し、残余の部分を変位吸収面として使用するように構成してもよく、変位吸収面１５ｂも導光体６の外方向に向けての単一傾斜角を持った下り傾斜面に限るものでなく、例えば曲線を描く曲面として形成することも可能である。また傾斜角度の異なる複数の傾斜を組み合わせた傾斜面でもよく、さらに、傾斜角度が連続して変化する傾斜面、あるいは傾斜面、曲面、平行面等を適宜組合わせて使用して
もよい。
【００２１】
このように傾斜面もしくは曲面のみから接着面部１５を構成した場合には、接着面部１５の形成が容易となるばかりでなく、連続的に滑らかに両面粘着テープ１３の変位部分を変位吸収面１５ｂ側に誘導することが可能となるので、変位した両面粘着テープ１３の変位部分をより容易に吸収することができる。
【実施例２】
【００２２】
次に第２の実施形態を、図５を参照して説明する。図５は要部の一部切欠斜視図である。なお、本実施形態は、フレームの固定部に設けた両面粘着テープの接着する接着面の構成のみが第１の実施形態と異なるため、図１乃至図４を参照し、第１の実施形態と同一部分には同一符号を付して説明を省略し、第１の実施形態と異なる本実施形態の構成について説明する。
【００２３】
図５において、液晶表示装置などに用いられる面光源装置２１は、合成樹脂等を用いて成形された略方形状の枠状のフレーム２２を有し、このフレーム２２には、導光体６の入射面に対向する対向側面６ｃ側の枠部材２２ａの内縁側部分に、断面形状が略Ｌ字形状である固定部２３が設けられている。この固定部２３は、両面粘着テープ１３を介在させて導光体６をその対向側面６ｃ側部分で支持すると共に、反射シート９を支持するもので、内方に向かう棚状部２３ａと、棚状部２３ａに直交する壁部２３ｂとで構成されている。
【００２４】
さらに、棚状部２３ａは、その先端上部に反射シート９を支持する段部１４が形成されており、また段部１４から壁部２３ｂ側にかけての上部には、両面粘着テープ１３を接着する接着面部２４が設けられている。この接着面部２４には、支持する導光体６の主面に平行な平行接着面２４ａと、この平行接着面２４ａに連続して壁部２３ｂ側に同様に平行な変位吸収面２４ｂが、段をなすように形成されている。そして、平行接着面２４ａと変位吸収面２４ｂとの段差は、接着される両面粘着テープ１３の厚さ程度となるような寸法となっている。例えば両面粘着テープ１３の厚さが０．１ｍｍ〜０．１５ｍｍ程度である場合には、段差寸法は０．１ｍｍ〜０．２ｍｍ程度となる。
【００２５】
そして、フレーム２２への導光体６の固定については、先ず、フレーム２２の枠部材２２ａの内縁側に設けられた固定部２３の棚状部２３ａの平行接着面２４ａの上に、両面に感圧粘着剤が付着している細い帯状の両面粘着テープ１３を、壁部２３ｂに沿って枠部材２２ａの長手方向に貼付しておく。その後、フレーム２２の固定部２３の壁部２３ｂを位置決めに使いながら、両面粘着テープ１３上に導光体６の対向側面６ｃ側の下面辺縁部分を押し付け、接着する。さらに、導光体６の入射面側部分をフレーム２２に取着し、導光体６を固定する。
【００２６】
また、上記のようにして構成された面光源装置２１には、第１の実施形態と同様に、導光体６上に液晶表示素子が配置される。そして、外カバーが、液晶表示素子の上を覆うと共に、液晶表示素子と面光源装置２１を固定するように設けられることによって、液晶表示装置が構成される。
【００２７】
このようにして構成された面光源装置２１と液晶表示装置においては、面光源装置２１の構成を上記した通りのものとして導光体６をフレーム２２に固定するので、延び広がったりして変位した両面粘着テープ１３は、導光体６の外方向である辺縁方向に向けて間隙寸法が大きくなっている変位吸収面２４ｂに沿う形で変位していくので導光体６の下面と変位吸収面２４ｂとで形成する間隙部分に、溜め込まれるように吸収されてしまうことになり、このはみ出た両面粘着テープ１３部分が導光体６の対向側面６ｃに付着するということがなくなる。更に、平行接着面２４ａによって両面粘着テープ１３の位置決めを容易にし、接着強度の均一化が図られると共に、段差を設けて変位吸収面２４ｂを形成しているので、両面粘着テープ１３の変位部分は一気に下方側に誘引されるので、より導光体６の対向側面６ｃ側に変位部分が付着する虞を少なくすることが可能となる。その結果、第１の実施形態と同様に、両面粘着テープ１３の対向側面６ｃに付着した粘着材によって生じていた乱反射光の発生が抑止されるために、導光体６の出射面６ａからは、斑の少ない、均一な光が出射される。
【００２８】
また、液晶表示装置では、面光源装置２１から出射される光が、斑の少ない、均一な光であることから、表示画面に乱反射光が入り込み、輝度むらとなって表示品位の低下を引き起こす虞がなくなり、良好な品位の表示を行うことができる。
【００２９】
なお、上記の実施形態においては、フレーム２２の固定部２３に設けた両面粘着テープ１３の接着面部２４を、段差のある平行接着面２４ａと変位吸収面２４ｂとで構成したが、さらに、相互間に段差を有する多くの平行平面により構成してもよい。また、両面粘着テープ１３の接着面部２４を、導光体６の下面と接着面部２４との間隙が導光体６の辺縁方向に向けて大きくなるように、相互間に段差を有する平行接着面と第１の実施形態で示した変位吸収面とを組み合わせたものであってもよい。
【図面の簡単な説明】
【００３０】
【図１】本発明の第１の実施形態を示す分解斜視図である。
【図２】本発明の第１の実施形態における要部の断面図である。
【図３】本発明の第１の実施形態における要部の一部切欠斜視図である。
【図４】本発明の第１の実施形態に係る液晶表示装置の概略構成を示す断面図である。
【図５】本発明の第２の実施形態における要部の一部切欠斜視図である。
【図６】従来技術のフレームと導光体との固定部分を示す断面図である。
【符号の説明】
【００３１】
３，２２…フレーム
５…光源
６…導光体
６ａ…出射面
６ｂ…入射面
１２，２３…固定部
１３…両面粘着テープ
１５，２４…接着面部
１５ａ…接着面
１５ｂ…変位吸収面
２４ａ…平行接着面
２４ｂ…変位吸収面
【図１】
2006244843.tif 000003
【図２】
2006244843.tif 000004
【図３】
2006244843.tif 000005
【図４】
2006244843.tif 000006
【図５】
2006244843.tif 000007
【図６】
2006244843.tif 000008